(57)【要約】  本発明は、関節動作時における皮膚の動きが緊張線の伸びる方向に密接に関係していることに基づき、着用者の屈曲・伸展又は外転・内転に関する関節動作時に集まる皮膚を伸ばすと共に離れる皮膚を集める構成を衣類に付加すれば関節の可動域を広げることができる、及び着用者の回旋に関する関節動作時に筋肉の動作方向に沿うように皮膚を動かす構成を衣類に付加すれば関節の可動域を広げることができる、という知見に基づいて、筋肉に緊締力を作用させる手法とは全く異なる新規な手法で着用者の動作をスムーズにできる衣類を具現化したものである。
2012140754.tif 000002
【特許請求の範囲】
【請求項１】
着用者の体に密着するように伸縮性を有する素材によって形成された本体部と、
前記本体部よりも高い伸縮力を有し、着用状態において着用前よりも曲率半径が大きくなるアーチ状のライン部と、を備え、
前記ライン部は、アーチの山側から谷側への向きが、前記着用者の屈曲・伸展又は外転・内転に関する関節動作時における皮膚の緊張線の方向に交差するように設けられていることを特徴とする衣類。
【請求項２】
着用者の体に密着するように伸縮性を有する素材によって形成された本体部と、
前記本体部よりも高い伸縮力を有し、着用状態において着用前よりも曲率半径が大きくなるアーチ状のライン部と、を備え、
前記ライン部は、アーチの山側から谷側への向きが、前記着用者の回旋に関する関節動作時における皮膚の緊張線の方向に沿うように設けられていることを特徴とする衣類。
【請求項３】
前記ライン部は、関節動作時に前記着用者の筋肉が隆起する部位に対応して配置されていることを特徴とする請求項１又は２記載の衣類。
【請求項４】
前記ライン部は、アーチの谷側の伸縮力が山側の伸縮力に比べて高くなっていることを特徴とする請求項１〜３のいずれか一項記載の衣類。
【請求項５】
前記ライン部は、アーチの山側から谷側に向かう方向に沿って複数設けられており、谷側に位置するライン部の伸縮力が山側に位置するライン部の伸縮力に比べて高くなっていることを特徴とする請求項１〜３のいずれか一項記載の衣類。
【発明の詳細な説明】
【技術分野】
【０００１】
本発明は、着用者の関節の可動域を広げたり、動作をスムーズにさせたりする機能を備えた衣類に関する。
【背景技術】
【０００２】
この種の分野に関連する技術として、例えば特許文献１に記載のアンダーシャツがある。この従来のアンダーシャツでは、緊締力の異なる３種類の素材が用いられ、最も緊締力の高い素材が上腕三頭筋の少なくとも一部に宛がわれ、最も緊締力の低い素材が肩甲骨周りの僧帽筋・広背筋・三角筋の少なくとも一部に宛がわれ、中間の緊締力を有する素材がその他の部位に宛がわれるようになっている。また、例えば特許文献２に記載のシャツでは、一方向にのみ伸縮性を有する素材を用い、後身頃の上部、下部、前身頃、上腕部、脇部〜肘部、袖部でそれぞれ伸縮方向が異なるように素材を配置している。
【先行技術文献】
【特許文献】
【０００３】
【特許文献１】特開２００４−０４４０７０号公報
【特許文献２】特開２００９−２９９２３９号公報
【発明の概要】
【発明が解決しようとする課題】
【０００４】
上述したような従来の衣類では、着用者が動作する際に関節や筋肉を安定化させることや動きを妨げないことに主眼が置かれている。このことも、着用者の動作をサポートする観点からは有意なことであるが、着用者の動作をスムーズにさせる機能を持たせるには更なる工夫が必要と考えられる。新規な手法で着用者の関節の可動域を広げたり、動作がスムーズになるように誘導できれば、テニス・ゴルフ・野球・ランニングといった各種のスポーツにおいて、着用者の運動能力を向上させることが可能となる。【０００５】
本発明は、上記課題の解決のためになされたものであり、関節の可動域を広げたり、動作をスムーズにさせたりする機能を備えた衣類を提供することを目的とする。
【課題を解決するための手段】
【０００６】
上記課題の解決のため、本願発明者らは、鋭意研究を重ねていく過程で、人体の動作には、骨や筋肉だけでなくその表面を覆う皮膚の特性が密接に関係していることに着目した。ここで、図１２及び図１３は、人体の関節動作に伴う皮膚の本来の動きの例を示す図である（参考：福井勉「皮膚運動学」  三輪書店）。図１２（ａ）に示すように、例えば膝関節の屈曲時には、膝の表側の皮膚は膝関節に集り、膝の裏側の皮膚は膝関節から離れる。また、図１２（ｂ）に示すように、例えば膝関節の伸展時には、屈曲時とは反対に、膝の表側の皮膚は膝関節から離れ、膝の裏側の皮膚は膝関節に集まる。さらに、図１３（ａ）に示すように、例えば股関節の外旋時には、太腿の内側下部から外側上部に向かって皮膚が伸び、図１３（ｂ）に示すように、例えば股関節の内旋時には、太腿の外側上部から内側下部に向かって皮膚が伸びる。【０００７】
しかしながら、このような本来の皮膚の動きとは異なり、人体の関節動作時に皮膚が集まって皺が寄ったり皮膚が離れて突っ張ったりすると、関節の可動域が狭くなったり、動作が阻害されたりすることが考えられる。そこで、本願発明者らは、上述のような本来の皮膚の動きを考慮し、皮膚の動きをサポートする構成を衣類に付加すれば、筋肉に緊締力を作用させる手法とは全く異なる新規な手法で着用者の動作をスムーズにできるとの知見を得て、本発明を完成するに至った。【０００８】
本発明に係る衣類は、着用者の体に密着するように伸縮性を有する素材によって形成された本体部と、本体部よりも高い伸縮力を有し、着用状態において着用前よりも曲率半径が大きくなるアーチ状のライン部と、を備え、ライン部は、アーチの山側から谷側への向きが、着用者の屈曲・伸展又は外転・内転に関する関節動作時における皮膚の緊張線の方向に交差するように設けられていることを特徴としている。【０００９】
この衣類では、着用状態において着用前よりも曲率半径が大きくなるアーチ状のライン部の伸縮力により、ライン部の山側から谷側に向かう方向に着用者の皮膚を動かすことができる。また、この衣類では、ライン部のアーチの山側から谷側への向きが、着用者の屈曲・伸展又は外転・内転に関する関節動作時における皮膚の緊張線の方向に交差するように設けられている。関節動作によって皺ができる部位の皮膚は関節から離れる傾向にある。この動きは本来の皮膚の動きの向きであり、この動きが不十分であると、可動域や関節の動きが制限される。したがって、上述のライン部を設けることによって、本来の皮膚の動きの向きへの皮膚の動きを促進することができる。一方、関節動作によって伸長される部位の皮膚は、関節に集まる傾向にある。この動きは本来の皮膚の動きの向きであり、この動きが不十分であると、可動域や関節の動きが制限される。したがって、上述のライン部を設けることによって、本来の皮膚の動きの向きへの皮膚の動きを促進することができる。以上により、この衣類によれば、関節の可動域を広げたり、動作をスムーズにさせたりすることが可能となる。【００１０】
また、本発明に係る衣類は、着用者の体に密着するように伸縮性を有する素材によって形成された本体部と、本体部よりも高い伸縮力を有し、着用状態において着用前よりも曲率半径が大きくなるアーチ状のライン部と、を備え、ライン部は、アーチの山側から谷側への向きが、着用者の回旋に関する関節動作時における皮膚の緊張線の方向に沿うように設けられていることを特徴としている。【００１１】
この衣類では、着用状態において着用前よりも曲率半径が大きくなるアーチ状のライン部の伸縮力により、ライン部の山側から谷側に向かう方向に着用者の皮膚を動かすことができる。また、この衣類では、着用者の回旋に関する関節動作時における皮膚の緊張線の方向に沿うように設けられている。回旋に関する関節動作時には緊張線に沿って皮膚が動く傾向にある。これが本来の皮膚の動きの向きであり、この動きが不十分であると、可動域や関節の動きが制限される。したがって、上述のライン部を設けることによって、本来の皮膚の動きの向きへの皮膚の動きを促進することができる。以上により、この衣類によれば、関節の可動域を広げたり、動作をスムーズにさせたりすることが可能となる。【００１２】
なお、ここでいう皮膚の緊張線とは、関節動作時に筋肉などの内部組織と皮膚とがずれにくい方向を示す線である。この緊張線は、人体において、屈曲・伸展又は外転・内転を行う部位に対しては、皮膚が動く方向に交差する方向に伸び、回旋を行う部位に対しては、皮膚が動く方向に沿う方向に伸びている。【００１３】
また、ライン部は、動作時に着用者の筋肉が隆起する部位に対応して配置されていることが好ましい。この場合、動作時にライン部の曲率半径が更に大きくなるので、ライン部による皮膚への作用を一層確実に生じさせることが可能となる。【００１４】
ライン部は、アーチの谷側の伸縮力が山側の伸縮力に比べて高くなっていてもよい。また、ライン部は、アーチの山側から谷側に向かう方向に沿って複数設けられており、谷側に位置するライン部の伸縮力が山側に位置するライン部の伸縮力に比べて高くなっていてもよい。このような構成により、ライン部による皮膚への作用を一層確実に生じさせることが可能となる。
【発明の効果】
【００１５】
本発明に係る衣類によれば、関節の可動域を広げたり、動作をスムーズにさせたりすることが可能となる。この結果、着用者の運動能力を向上できる。
【図面の簡単な説明】
【００１６】
【図１】本発明に係る衣類の第１実施形態であるアンダーシャツを示す正面図である。
【図２】図１に示したアンダーシャツの背面図である。
【図３】図１及び図２に示したアンダーシャツの着用状態を示す図である。
【図４】本発明に係る衣類の第２実施形態であるボトムスパッツを示す正面図である。
【図５】図４に示したボトムスパッツの側面図である。
【図６】図４及び図５に示したボトムスパッツの着用状態を示す図である。
【図７】本発明に係る衣類の第２実施形態であるボトムスパッツを示す正面図である。
【図８】図７に示したボトムスパッツの背面図である。
【図９】図７及び図８に示したボトムスパッツの着用状態を正面側から見た図である。
【図１０】図７及び図８に示したボトムスパッツの着用状態を背面側から見た図である。
【図１１】ライン部の変形例を示す図である。
【図１２】膝関節の屈曲・伸展動作と皮膚の動きの関係を示す図である。
【図１３】股関節の外旋・内旋動作と皮膚の動きの関係を示す図である。
【発明を実施するための形態】
【００１７】
以下、図面を参照しながら、本発明に係る衣類の好適な実施形態について詳細に説明する。
【００１８】
実施形態の説明に先立ち、まず、本願発明者らが見出した知見について説明する。本願発明者らは、鋭意研究を重ねる過程で、皮膚を動かすことで人体の動作に変化を与えられることを見出し、皮膚の動かし方のルールとして皮膚の緊張線に着目した。
【００１９】
そして、本願発明者らは、関節動作時における皮膚の動きが緊張線の伸びる方向に密接に関係していることに基づき、着用者の屈曲・伸展又は外転・内転に関する関節動作によって皺ができる部位の皮膚は関節から離れる傾向にあり、伸長される部位の皮膚は、関節に集まる傾向にあることに着目した。これらの動きは本来の皮膚の動きの向きであり、この動きを促進する構成を衣類に付加すれば、関節の可動域を広げたり、動作をスムーズにさせたりできるという知見を見出した。また、本願発明者らは、着用者の回旋に関する関節動作時には緊張線に沿って皮膚が動く傾向にあることにも着目した。この動きは本来の皮膚の動きの向きであり、これに沿うように皮膚を動かす構成を衣類に付加すれば、関節の可動域を広げたり、動作をスムーズさせたりできるという知見を見出した。
【００２０】
以下に示す各実施形態は、これらの知見に基づいて、筋肉に緊締力を作用させる手法とは全く異なる新規な手法で着用者の動作をスムーズにできる衣類を具現化したものである。なお、ここでいう皮膚の緊張線とは、関節動作時に筋肉などの内部組織と皮膚とがずれにくい方向を示す線である。この緊張線は、人体において、屈曲・伸展又は外転・内転を行う部位に対しては、皮膚が動く方向に交差する方向に伸び、回旋を行う部位に対しては、皮膚が動く方向に沿う方向に伸びている。
【００２１】
［第１実施形態］
図１は、本発明に係る衣類の第１実施形態であるアンダーシャツを示す正面図である。また、図２は、図１の背面図である。図１及び図２に示すアンダーシャツ１Ａは、例えばテニス・ゴルフ・野球・ランニングといった各種のスポーツを行う際に、運動能力を向上させる目的で着用される半袖タイプのシャツである。
【００２２】
アンダーシャツ１Ａは、着用者の上半身に密着するように形成された本体部２と、本体部２の表面側に縫合されたライン部３とを備えている。本体部２は、例えば前身頃と、後身頃と、襟部と、袖部とによって構成されている。これらの各パーツは、図示しない縫合ラインにそって互いに縫合されている。
【００２３】
本体部２を構成する素材には、伸縮性を有する素材が用いられる。伸縮性を有する素材としては、例えばポリエステル及びポリウレタンを混糸してなるベア天竺を用いることができる。このような素材を用いることにより、着用者の上半身に対する本体部２の密着性が良好なものとなる。なお、本体部２における着圧は、最大部位で例えば１．５ｋＰａ以下とすることが好ましく、１ｋＰａ以下とすることがより好ましい。
【００２４】
ライン部３は、例えば本体部２よりも伸縮力が高い素材によってアーチ状に形成されている。本体部２よりも伸縮力が高い素材としては、例えばナイロン及びポリウレタンを混糸してなるパワーネットを用いることができる。このライン部３は、本体部２において、着用者の左右の肩部に対応する領域２Ａ，２Ａと、着用者の左右の脇部に対応する領域２Ｂ，２Ｂとにそれぞれ設けられている。
【００２５】
肩部に対応する領域２Ａ，２Ａには、例えば３本のライン部３Ａがそれぞれ設けられている。各ライン部３Ａは、所定の間隔をもって肩関節と首部との間の位置に配置されている。各ライン部３Ａの山側（凸側）は肩関節側を向いた状態となっており、各ライン部３Ａの谷側（凹側）は首部側を向いた状態となっている。これにより、各ライン部３Ａは、アーチの山側から谷側への向きが、肩部において前後に延在する緊張線に交差した状態となっている。
【００２６】
各ライン部３Ａの幅は、例えば０．５ｃｍとなっており、各ライン部３Ａの長さは、着用前後で、肩関節側のライン部３Ａから順に、例えば着用前９．０ｃｍ、９．０ｃｍ、９．０ｃｍ、着用後９．８ｃｍ、９．８ｃｍ、９．８ｃｍとなっている。また、各ライン部３Ａの曲率半径は、肩関節側のライン部３Ａから順に、例えば着用前で４．７ｃｍ、４．７ｃｍ、４．７ｃｍ、着用後で１０．９ｃｍ、１０．９ｃｍ、１０．９ｃｍとなっている。
【００２７】
脇部に対応する領域２Ｂ，２Ｂには、肩部と同様に例えば３本のライン部３Ｂがそれぞれ設けられている。各ライン部３Ｂは、所定の間隔をもって脇部の真下の位置に配置されている。各ライン部３Ｂの山側は腰部側を向いた状態となっており、各ライン部３Ｂの谷側は脇部側を向いた状態となっている。これにより、各ライン部３Ｂは、アーチの山側から谷側への向きが、脇部において胴周りに延在する緊張線に交差した状態となっている。
【００２８】
各ライン部３Ｂの幅は、例えば０．５ｃｍとなっており、各ライン部３Ｂの長さは、着用前後で、脇部側のライン部３Ｂから順に、例えば着用前９．０ｃｍ、９．０ｃｍ、９．０ｃｍ、着用後１０．８ｃｍ、１０．２ｃｍ、９．８ｃｍとなっている。また、各ライン部３Ｂの曲率半径は、脇部側のライン部３Ｂから順に、例えば着用前で４．７ｃｍ、４．７ｃｍ、４．７ｃｍ、着用後で１６．０ｃｍ、１３．０ｃｍ、１０．９ｃｍとなっている。
【００２９】
続いて、上述した構成を有するアンダーシャツ１Ａの作用効果について説明する。
【００３０】
図３は、アンダーシャツ１Ａの着用状態を示す図である。同図に示すように、着用状態におけるアンダーシャツ１Ａでは、本体部２が着用者の身体に密着すると共に、アーチ状をなす各ライン部３の曲率半径が着用前よりも大きくなる。ここで、各ライン部３は、本体部２よりも伸縮力の高い素材で形成されている。このため、ライン部３が元の形状に復元しようとする力が着用者の皮膚に作用し、ライン部３の山側から谷側に向かう方向に着用者の皮膚が動かされることとなる。
【００３１】
肩部に対応する領域２Ａ，２Ａの各ライン部３Ａは、アーチの山側から谷側への向きが、肩部において前後に延在する緊張線に交差した状態となっており、着用者の肩部の皮膚を首部側に伸ばす作用を有している。肩部において、着用者が肩関節を外転させるときに皺ができる部位の皮膚は関節から離れる傾向にあり、この動きが本来の皮膚の動きの向きである。したがって、各ライン部３Ａによって皮膚を首側に動かすことにより、着用者が肩関節の外転動作を行う際の皮膚本来の動きを促進することができ、関節の可動域を広げたり、動作をスムーズにさせたりすることが可能となる。
【００３２】
また、脇部に対応する領域２Ｂ，２Ｂの各ライン部３Ｂは、アーチの山側から谷側への向きが、脇部において胴周りに延在する緊張線に交差した状態となっており、着用者の皮膚を脇部に集める作用を有している。脇部において、着用者が肩関節を外転させるときに伸張される部位の皮膚は関節に集まる傾向にあり、この動きが本来の皮膚の動きの向きである。したがって、各ライン部３Ｂによって皮膚を脇部側に動かすことにより、着用者が肩関節の外転動作を行う際の皮膚本来の動きを促進することができ、関節の可動域を広げたり、動作をスムーズにさせたりすることが可能となる。
【００３３】
以上により、アンダーシャツ１Ａでは、着用者の肩関節の外転の可動域を広げたり、外転動作をスムーズにすることができ、着用者の運動能力を向上できる。
【００３４】
［第２実施形態］
図４は、本発明に係る衣類の第２実施形態であるボトムスパッツを示す正面図である。また、図５は、図４の側面図である。図４及び図５に示すように、ボトムスパッツ１０Ａは、例えばテニス・ゴルフ・野球・ランニングといった各種のスポーツを行う際に、運動能力を向上させる目的で着用される足首丈のスパッツである。このボトムスパッツ１０Ａは、着用者の下半身に密着するように形成された本体部１２と、本体部１２の表面側に縫合されたライン部１３とを備えている。
【００３５】
本体部１２の左右のパーツは、股部を前後に通る縫合ラインによって互いに縫合されている。また、本体部１２のウエスト部分には、例えばゴム入りのインサイドテープが通されており、着用時のウエストのフィット感が確保されている。本体部１２を構成する素材には、伸縮性を有する素材が用いられる。伸縮性を有する素材としては、例えばポリエステル及びポリウレタンを混糸してなるツーウェイトリコットを用いることができる。このような素材を用いることにより、着用者の下半身に対する本体部１２の密着性が良好なものとなる。なお、本体部１２における着圧は、例えば１ｋＰａ以下とすることが好ましい。
【００３６】
ライン部１３は、本体部１２よりも伸縮力が高い素材によってアーチ状に形成されている。本体部１２よりも伸縮力が高い素材としては、例えばナイロン及びポリウレタンを混糸してなるパワーネットを用いることができる。このライン部１３は、本体部１２において、着用者の左右の足首部に対応する領域１２Ａ，１２Ａと、着用者の股部に対応する領域１２Ｂ，１２Ｂと、着用者の左右の大腿部に対応する領域１２Ｃ，１２Ｃとにそれぞれ設けられている。
【００３７】
足首部に対応する領域１２Ａ，１２Ａには、図４に示すように、例えば２本のライン部１３Ａがそれぞれ設けられている。各ライン部１３Ａは、所定の間隔をもって足首部の前面側となる位置に配置されている。各ライン部１３Ａの山側は足首部側を向いた状態となっており、各ライン部１３Ａの谷側は膝部側を向いた状態となっている。これにより、各ライン部１３Ａは、アーチの山側から谷側への向きが、足首周りに延在する緊張線に交差した状態となっている。
【００３８】
各ライン部１３Ａの幅は、例えば０．５ｃｍとなっており、各ライン部１３Ａの着用前後の長さは、足首部側のライン部１３Ａから順に、例えば着用前８．６ｃｍ、１０．０ｃｍ、着用後１０．２ｃｍ、１２．０ｃｍとなっている。また、各ライン部１３Ａの曲率半径は、足首部側のライン部１３Ａから順に、例えば着用前で６．１ｃｍ、６．１ｃｍ、着用後で１２．５ｃｍ、１１．８ｃｍとなっている。
【００３９】
股部に対応する領域１２Ｂ，１２Ｂには、図５に示すように、例えば４本のライン部１３Ｂがそれぞれ設けられている。各ライン部１３Ｂは、所定の間隔をもって大転子の近傍となる位置に配置されている。各ライン部１３Ｂの山側は腰部側を向いた状態となっており、各ライン部１３Ｂの谷側は膝部側を向いた状態となっている。これにより、各ライン部１３Ｂは、アーチの山側から谷側への向きが、股部の足周りに延在する緊張線に交差した状態となっている。
【００４０】
各ライン部１３Ｂの幅は、例えば０．５ｃｍとなっており、各ライン部１３Ｂの着用前後の長さは、膝部側のライン部１３Ｂから順に、例えば着用前１１．６ｃｍ、１１．６ｃｍ、１１．６ｃｍ、１１．６ｃｍ、着用後１４ｃｍ、１４ｃｍ、１２．５ｃｍ、１２．５ｃｍとなっている。また、各ライン部１３Ｂの曲率半径は、膝部側のライン部１３Ｂから順に、例えば着用前で７．７ｃｍ、７．７ｃｍ、７．７ｃｍ、７．７ｃｍ、着用後で１０．８ｃｍ、１０．８ｃｍ、９．３ｃｍ、９．３ｃｍとなっている。
【００４１】
大腿部に対応する領域１２Ｃ，１２Ｃには、図４に示すように、例えば２本のライン部１３Ｃがそれぞれ設けられている。各ライン部１３Ｃは、所定の間隔をもって大腿部の前面となる位置に配置されている。各ライン部１３Ｃの山側は股部側を向いた状態となっており、各ライン部１３Ｃの谷側は膝部側を向いた状態となっている。これにより、これにより、各ライン部１３Ｃは、アーチの山側から谷側への向きが、大腿部の上下を外側から内側にかけて斜めに延在する緊張線に沿った状態となっている。なお、ライン部１３Ｃの位置は、股関節の内旋動作を行う際に大腿筋が隆起する位置に対応したものとなっている。
【００４２】
各ライン部１３Ｃの幅は、例えば０．５ｃｍとなっており、各ライン部１３Ｃの着用前後の長さは、膝部側のライン部１３Ｃから順に、例えば着用前１１．０ｃｍ、１１．０ｃｍ、着用後１４．０ｃｍ、１２．０ｃｍとなっている。また、各ライン部１３Ｃの曲率半径は、膝部側のライン部１３Ｃから順に、例えば着用前で９．１ｃｍ、９．１ｃｍ、着用後で１４．７ｃｍ、１１．５ｃｍとなっている。
【００４３】
続いて、上述した構成を有するボトムスパッツ１０Ａの作用効果について説明する。
【００４４】
図６は、ボトムスパッツ１０Ａの着用状態を示す図である。同図に示すように、着用状態におけるボトムスパッツ１０Ａでは、本体部１２が着用者の身体に密着すると共に、アーチ状をなす各ライン部１３の曲率半径が着用前よりも大きくなる。ここで、各ライン部１３は、本体部１２よりも伸縮力の高い素材で形成されている。このため、ライン部１３が元の形状に復元しようとする力が着用者の皮膚に作用し、ライン部１３の山側から谷側に向かう方向に着用者の皮膚が動かされることとなる。
【００４５】
足首部に対応する領域１２Ａ，１２Ａの各ライン部１３Ａは、アーチの山側から谷側への向きが、足首周りに延在する緊張線に交差した状態となっており、着用者の足首部の皮膚を膝部側に動かす作用を有している。足首部において、着用者が足関節を伸展させた場合に皺ができる部位の皮膚は関節から離れる傾向にあり、これが本来の皮膚の動きの向きである。したがって、各ライン部１３Ａによって皮膚を膝部側に動かすことにより、着用者が足首部の伸展動作を行う際の皮膚本来の動きを促進することができ、関節の可動域を広げたり、動作をスムーズにさせたりすることが可能となる。
【００４６】
また、大転子下部に対応する領域１２Ｂ，１２Ｂの各ライン部１３Ｂは、アーチの山側から谷側への向きが、大転子下部の足周りに延在する緊張線に交差した状態となっており、着用者の大転子下部の皮膚を膝部側に伸ばす作用を有している。この部分の皮膚は、着用者が股関節を外転させるときに皺ができる部位の皮膚は関節から離れる傾向にあり、これが本来の皮膚の動きの向きである。したがって、各ライン部１３Ｂによって皮膚を膝部側に動かすことにより、着用者が大転子下部の外転動作を行う際の皮膚本来の動きを促進することができ、関節の可動域を広げたり、動作をスムーズにさせたりすることが可能となる。
【００４７】
大腿部に対応する領域１２Ｃ，１２Ｃの各ライン部１３Ｃは、アーチの山側から谷側への向きが、大腿部の上下を外側から内側にかけて斜めに延在する緊張線に沿った状態となっており、着用者の大腿部の前面の皮膚を大腿部の内側に動かす作用を有している。この部分の皮膚は、着用者が股関節を内旋させた場合に緊張線に沿って動く傾向にあり、これが本来の皮膚の動きの向きである。したがって、この部分の皮膚を内旋の動作方向に従って太腿の外側上部から内側下部に向かって動かすことにより、着用者が股関節の内旋動作を行う際の皮膚本来の動きを促進することができ、関節の可動域を広げたり、動作をスムーズにさせたりすることが可能となる。
【００４８】
以上により、ボトムスパッツ１０Ａでは、着用者の足関節及び股関節の可動域を広げたり、足関節の伸展動作、股関節の外転動作・内旋動作をスムーズにすることができ、着用者の運動能力を向上できる。
【００４９】
また、ボトムスパッツ１０Ａでは、股関節の内旋動作を行う際に大腿筋が隆起する位置に対応してライン部１３Ｃを配置している。これにより、着用者が股関節を内旋させるときに大腿筋の隆起によってライン部１３Ｃの曲率半径が更に大きくなるので、ライン部１３Ｃの伸縮力が増加し、着用者の皮膚をしっかりと大腿部の内側に動かすことができる。
【００５０】
［第３実施形態］
図７は、本発明に係る衣類の第３実施形態であるボトムスパッツを示す正面図である。また、図８は、図７の背面図である。図７及び図８に示すボトムスパッツ１０Ｂは、第２実施形態と同様に、例えばテニス・ゴルフ・野球・ランニングといった各種のスポーツを行う際に、運動能力を向上させる目的で着用される足首丈のスパッツである。
【００５１】
このボトムスパッツ１０Ｂは、ライン部１３の配置が第２実施形態と異なっており、その他の点については第２実施形態と同様である。すなわち、ボトムスパッツ１０Ｂでは、本体部１２において、着用者の左右の膝部に対応する領域１２Ｄ，１２Ｄ、左右の鼠径部に対応する領域１２Ｅ，１２Ｅ、左右の殿部に対応する領域１２Ｆ，１２Ｆ、及び殿部の中央に対応する領域１２Ｇにライン部１３がそれぞれ設けられている。
【００５２】
膝部に対応する領域１２Ｄ，１２Ｄには、図７に示すように、膝関節を挟んで上下に２本ずつのライン部１３Ｄ，１３Ｄがそれぞれ設けられている。各ライン部１３Ｄは、所定の間隔をもって膝部の前面側となる位置に配置されている。膝上の各ライン部１３Ｄの山側は股部側を向いた状態となっており、谷側は膝部側を向いた状態となっている。また、膝下の各ライン部１３Ｄの山側は足首部側を向いた状態となっており、谷側は膝部側を向いた状態となっている。これにより、各ライン部１３Ｄは、アーチの山側から谷側への向きが、膝部を脚周りに延在する緊張線に交差した状態となっている。
【００５３】
膝上の各ライン部１３Ｄの幅は、例えば０．５ｃｍとなっており、その着用前後の長さは、膝部側のライン部１３Ｄから順に、例えば着用前で１２．２ｃｍ、１２．８ｃｍ、着用後で１３．７ｃｍ、１４．０ｃｍとなっている。また、膝上の各ライン部１３Ｄの曲率半径は、膝部側のライン部１３Ｄから順に、例えば着用前で８．６ｃｍ、１２．４ｃｍ、着用後で１５．６ｃｍ、４５．８ｃｍとなっている。また、膝下の各ライン部１３Ｄの幅は、例えば０．５ｃｍとなっており、その着用前後の長さは、膝部側のライン部１３Ｄから順に、例えば着用前で１２．８ｃｍ、１２．２ｃｍ、着用後で１３．０ｃｍ、１２．５ｃｍ、となっている。また、膝下の各ライン部１３Ｄの曲率半径は、膝部側のライン部１３Ｄから順に、例えば着用前で１２．４ｃｍ、８．６ｃｍ、着用後で１６．９ｃｍ、１１．１ｃｍとなっている。
【００５４】
左右の鼠径部に対応する領域１２Ｅ，１２Ｅには、例えば２本のライン部１３Ｅがそれぞれ設けられている。各ライン部１３Ｅは、所定の間隔をもって鼠径部の下側となる位置に配置されている。各ライン部１３Ｅの山側は鼠径部側を向いた状態となっており、各ライン部１３Ｅの谷側は膝部側を向いた状態となっている。これにより、各ライン部１３Ｅは、アーチの山側から谷側への向きが、鼠径部に沿って延在する緊張線に交差した状態となっている。
【００５５】
各ライン部１３Ｅの幅は、例えば０．５ｃｍとなっており、各ライン部１３Ｅの着用前後の長さは、膝部側のライン部１３Ｅから順に、例えば着用前で１１．２ｃｍ、１１．７ｃｍ、着用後で１３．５ｃｍ、１３．０ｃｍとなっている。また、各ライン部１３Ｅの曲率半径は、膝部側のライン部１３Ｅから順に、例えば着用前で７．３ｃｍ、７．９ｃｍ、着用後で１０．９ｃｍ、１２．５ｃｍとなっている。
【００５６】
左右の殿部に対応する領域１２Ｆ，１２Ｆには、図８に示すように、例えば２本のライン部１３Ｆがそれぞれ設けられている。各ライン部１３Ｆは、所定の間隔をもって殿溝の下側となる位置に配置されている。各ライン部１３Ｆの山側は殿溝側を向いた状態となっており、各ライン部１３Ｆの谷側は膝部側を向いた状態となっている。これにより、各ライン部１３Ｆは、アーチの山側から谷側への向きが、殿溝の下側で当該殿溝に沿って延在する緊張線に交差した状態となっている。
【００５７】
各ライン部１３Ｆの幅は、例えば０．５ｃｍとなっており、各ライン部１３Ｆの着用前後の長さは、膝部側のライン部１３Ｆから順に、例えば着用前で１１．０ｃｍ、１１．０ｃｍ、着用後で１２．５ｃｍ、１２．８ｃｍとなっている。また、各ライン部１３Ｆの曲率半径は、膝部側のライン部１３Ｆから順に、例えば着用前で８．２ｃｍ、８．２ｃｍ、着用後で１４．９ｃｍ、１２．３ｃｍとなっている。
【００５８】
殿部の中央に対応する領域１２Ｇ，１２Ｇには、図８に示すように、例えば２本のライン部１３Ｇがそれぞれ設けられている。各ライン部１３Ｇは、所定の間隔をもって殿溝よりも上側となる位置に配置されている。各ライン部１３Ｇの山側は殿溝側を向いた状態となっており、各ライン部１３Ｇの谷側は腰部側を向いた状態となっている。これにより、各ライン部１３Ｇは、アーチの山側から谷側への向きが、殿溝の上側で当該殿溝に沿って延在する緊張線に交差した状態となっている。
【００５９】
このようなボトムスパッツ１０Ｂにおいても、図９及び図１０に示すように、着用状態において本体部１２が着用者の身体に密着すると共に、アーチ状をなす各ライン部１３の曲率半径が着用前よりも大きくなる。ここで、各ライン部１３は、本体部１２よりも伸縮力の高い素材で形成されている。このため、ライン部１３が元の形状に復元しようとする力が着用者の皮膚に作用し、ライン部１３の山側から谷側に向かう方向に着用者の皮膚が動かされることとなる。
【００６０】
膝部に対応する領域１２Ｄ，１２Ｄの各ライン部１３Ｄは、アーチの山側から谷側への向きが、膝部を脚周りに延在する緊張線に交差した状態となっており、着用者の膝部の前面側の皮膚を膝部側に集める作用を有している。膝部において、着用者が膝関節を屈曲させるときに伸張する部位の皮膚は関節に集まる傾向にあり、これが本来の皮膚の動きの向きである。したがって、各ライン部１３Ｄによってこの部分の皮膚を膝部側に動かすことにより、着用者が膝関節の屈曲動作を行う際の皮膚本来の動きを促進することができ、関節の可動域を広げたり、動作をスムーズにさせたりすることが可能となる。
【００６１】
左右の鼠径部に対応する領域１２Ｅ，１２Ｅの各ライン部１３Ｅは、アーチの山側から谷側への向きが、鼠径部に沿って延在する緊張線に交差した状態となっており、着用者の鼠径部の皮膚を膝部側に伸ばす作用を有している。鼠径部において、着用者が股関節を屈曲させるときに皺ができる部位の皮膚は関節から離れる傾向にあり、これが本来の皮膚の動きの向きである。したがって、各ライン部１３Ｅによってこの部分の皮膚を膝部側に動かすことにより、着用者が股関節の屈曲動作を行う際の皮膚本来の動きを促進することができ、関節の可動域を広げたり、動作をスムーズにさせたりすることが可能となる。
【００６２】
左右の殿部に対応する領域１２Ｆ，１２Ｆの各ライン部１３Ｆは、アーチの山側から谷側への向きが、殿溝の下側で当該殿溝に沿って延在する緊張線に交差した状態となっており、着用者の殿溝下部の皮膚を膝部側に伸ばす作用を有している。殿溝下部において、着用者が股関節を伸展させるときに皺ができる部位の皮膚は関節から離れる傾向にあり、これが本来の皮膚の動きの向きである。したがって、各ライン部１３Ｆによってこの部分の皮膚を膝部側に動かすことにより、着用者が股関節の伸展動作を行う際の皮膚本来の動きを促進することができ、関節の可動域を広げたり、動作をスムーズにさせたりすることが可能となる。
【００６３】
また、殿部の中央に対応する領域１２Ｇ，１２Ｇの各ライン部１３Ｇは、アーチの山側から谷側への向きが、殿溝の上側で当該殿溝に沿って延在する緊張線に交差した状態となっており、着用者の殿溝上部の皮膚を腰部側に伸ばす作用を有している。殿溝上部において、着用者が股関節を伸展させるとき、或いは体幹を伸展させるときに皺ができる部位の皮膚は関節から離れる傾向にあり、これが本来の皮膚の動きの向きである。したがって、各ライン部１３Ｇによってこの部分の皮膚を腰部側に動かすことにより、着用者が股関節の伸展動作を行う際、或いは体幹の伸展動作を行う際の皮膚本来の動きを促進することができ、関節の可動域を広げたり、動作をスムーズにさせたりすることが可能となる。
【００６４】
以上により、ボトムスパッツ１０Ｂでは、着用者の膝関節及び股関節の可動域を広げたり、膝関節の屈曲動作、股関節の屈曲・伸展動作、及び体幹の伸展動作をスムーズにすることができ、着用者の運動能力を向上できる。
【００６５】
本発明は、上記実施形態に限られるものではない。例えば上述した実施形態では、ライン部３，１３を適用する衣類としてアンダーシャツやボトムスパッツを例示したが、パンツ、ガードル、タイツ、ストッキングといった各種衣類にも適用が可能である。
【００６６】
また、ライン部の配置本数や形状等は、衣類のサイズや種類、対象となる性別などにより適宜変更してもよい。アーチ状をなすライン部は、上述した実施形態のような円弧状のものに限られず、例えば図１１（ａ）に示すように、Ｖ字状のライン部３１Ａであってもよく、図１１（ｂ）に示すように、中央の凸部が両端よりも突出しないＷ字状であって、全体としてアーチ状をなすライン部３１Ｂであってもよい。また、図１１（ｃ）に示すように、環状でかつ全体としてアーチ状をなすライン部３１Ｃであってもよい。さらに、ライン部は、実施例のように当布に限られるものではない。たとえば、編構造の変更、樹脂プリント、オパール加工などによってライン部を形成してもよい。
【００６７】
さらに、図１１（ｄ）に示すように、アーチの谷側の伸縮力が山側の伸縮力に比べて高くしたライン部３１Ｄであってもよい。また、ある領域にアーチの山側から谷側に向かう方向に沿ってライン部を複数配置する場合において、谷側に位置するライン部の伸縮力を山側に位置するライン部の伸縮力に比べて高くしてもよい。このような構成により、ライン部による皮膚への作用を一層確実に生じさせることが可能となる。
【００６８】
なお、上述した各実施形態において、ライン部３，１３によって皮膚を動かす方向に本体部２，１２を構成する素材の経方向（伸縮力が高い方向）を一致させておくことが好ましい。また、ライン部３，１３を構成する素材の経方向は、着用時の経方向に一致させておくことが好ましい。
【符号の説明】
【００６９】
１Ａ…アンダーシャツ（衣類）、２…本体部、２Ａ…肩部に対応する領域、２Ｂ…脇部に対応する領域、３（３Ａ，３Ｂ）…ライン部、１０Ａ，１０Ｂ…ボトムスパッツ（衣類）、１２…本体部、１２Ａ…足首部に対応する領域、１２Ｂ…股部に対応する領域、１２Ｃ…大腿部に対応する領域、１２Ｄ…膝部に対応する領域、１２Ｅ…鼠径部に対応する領域、１２Ｆ…左右の殿部に対応する領域、１２Ｇ…殿部の中央に対応する領域、１３（１３Ａ〜１３Ｇ）…ライン部、３１Ａ〜３１Ｄ…ライン部。
【図１】
2012140754.tif 000003
【図２】
2012140754.tif 000004
【図３】
2012140754.tif 000005
【図４】
2012140754.tif 000006
【図５】
2012140754.tif 000007
【図６】
2012140754.tif 000008
【図７】
2012140754.tif 000009
【図８】
2012140754.tif 000010
【図９】
2012140754.tif 000011
【図１０】
2012140754.tif 000012
【図１１】
2012140754.tif 000013
【図１２】
2012140754.tif 000014
【図１３】
2012140754.tif 000015
【国際調査報告】
2012140754.tif 000016
2012140754.tif 000017
2012140754.tif 000018
2012140754.tif 000019